(57)【要約】  柱と梁の直角を確実に再現できる建材連結金具と建材連結金具用建材を用いることで、安全で確実に容易に組立てることのできる間仕切りとそれらを構成する建材連結金具と建材連結金具用建材を提供する。本発明に係る建材連結金具は、所定間隔で相対する一組の第一の平行平板と、前記第一の平行平板と同一の間隔で相対して前記一組の第一の平行平板に対し井桁形状に直角に交叉する一組の第二の平行平板とから形成されることで枠部と４組の延在部が構成されて、これらの延在部のうち２組以上に建材固定用の開口部が開口する。
2009136447.tif 000002
【特許請求の範囲】
【請求項１】
所定間隔で相対する一組の第一の平行平板と、
前記第一の平行平板と同一の間隔で相対して前記一組の第一の平行平板に対し井桁形状に直角に交叉する一組の第二の平行平板とから形成されることで枠部と４組の延在部が構成されて、これらの延在部のうち２組以上に建材固定用の開口部が開口する建材連結金具。
【請求項２】
前記平行平板は、幅と長さが互いにそれぞれ等しく、交叉する各平板同士は垂直に交叉することを特徴とする請求項１記載の建材連結金具。
【請求項３】
前記開口部は、各平板の端部に鉛直方向で縦列に２つ以上開口することを特徴とする請求項１記載の建材連結金具。
【請求項４】
前記開口部は、その開口径と略等しい口径のナットが各開口部に開口部の中心と前記ナットの中心が同一となるように溶着固定されることを特徴とする請求項１記載の建材連結金具。
【請求項５】
前記延在部のうち梁と連結させる方向の延在部のみを延在させて、梁と連結しない方向の延在部を設けないことを特徴とする請求項１記載の建材連結金具。
【請求項６】
所定間隔で相対する一組の第一の平行平板と、
前記第一の平行平板と同一の間隔で相対して前記一組の第一の平行平板に対し井桁形状に直角に交叉する一組の第二の平行平板とから形成されることで枠部と４組の延在部が構成されて、これらの延在部のうち２組以上に建材固定用の開口部が開口する建材連結金具によって梁部と連結するための柱部を含む建材連結金具用建材であって、
前記柱部の頭部に前記柱部の一組の対向する側面と平行であって他の一組の側面に対しては垂直である前記第一の平行平板と同一の所定間隔で相対して刻設される一組の第一のスリットと、
前記柱部の頭部に設けられて前記第一のスリットと同一の間隔で相対して前記一組の第一のスリットに対し井桁形状に直角に交叉する一組の第二のスリットと、
が刻設される建材連結金具用建材。
【請求項７】
前記スリットの幅が前記平行平板の厚みと同程度であることを特徴とする請求項６記載の建材連結金具用建材。
【請求項８】
前記スリットの深さが前記平行平板の幅よりも深く、その深さが全スリットに渡り一定であることで建材連結金具柱部に対して水平に配置可能であることを特徴とする請求項６記載の建材連結金具用建材。
【請求項９】
前記柱部は、その側面に間仕切を挿入するための挿入溝を長手方向に刻設することを特徴とする請求項６記載の建材連結金具用建材。
【請求項１０】
前記柱部は、その底部にホゾ突部が鉛直下向きに突設されることを特徴とする請求項６記載の建材連結金具用建材。
【請求項１１】
前記柱部を立設する位置にホゾ穴が開口される土台部を備えることを特徴とする請求項６記載の建材連結金具用建材。
【請求項１２】
所定間隔で相対する一組の第一の平行平板と、
前記第一の平行平板と同一の間隔で相対して前記一組の第一の平行平板に対し井桁形状に直角に交叉する一組の第二の平行平板とから形成されることで枠部と４組の延在部が構成されて、これらの延在部のうち２組以上に建材固定用の開口部が開口する建材連結金具と、
前記建材連結金具によって梁部と連結するための柱部を含み、前記柱部の頭部に前記柱部の一組の対向する側面と平行であって他の一組の側面に対しては垂直である前記第一の平行平板と同一の所定間隔で相対して刻設される一組の第一のスリットと、前記柱部の頭部に設けられて前記第一のスリットと同一の間隔で相対して前記一組の第一のスリットに対し井桁形状に直角に交叉する一組の第二のスリットとが刻設される建材連結金具用建材と、
底部に敷設される土台部と、建材連結金具の端部に固定される一組の梁部と、前記建材連結金具用建材の側面に刻設される溝部に嵌め込まれる板部とからなり、前記建材連結金具用建材はその底面にホゾ突部を突設して土台部に設けられたホゾ穴に立設されて形成される組立間仕切。
【請求項１３】
前記梁部は、その幅が前記柱部の幅と異なるとともに前記柱部の両外面側にそれぞれの前記一組の梁部を合い向かい合うように設けることを特徴とする請求項１２記載の組立間仕切。
【請求項１４】
前記一組の梁部と前記隣り合う柱部に囲まれた空間に少なくとも一枚以上の鏡板材を挿入することを特徴とする請求項１２記載の組立間仕切。
【発明の詳細な説明】
【技術分野】
【０００１】
本発明は、建材連結金具と建材連結金具用建材と組立間仕切とに関し、簡易に組立と設計変更ができる組立間仕切とこの組立間仕切を組み立てるのに最適な建材連結金具と建材連結金具用建材に関する。
【背景技術】
【０００２】
室内を任意の広さの空間として画定するには間仕切りが用いられる。一般的には、壁から構成される、間仕切りや収納を含んで構成される間仕切りが数多く提案されている。【０００３】
例えば、より安価に構成でき、簡易な方法で家具まで収納できるようなトランクルームについては、例えば特許文献１において提案されている。このトランクルームでは、間仕切りの壁材として段ボールを使用することが提案されている。【０００４】
また、特許文献２では、種々の要求に従って変更することができる高さ及び幅を有する、組立ユニットにより仕切りを提供することが開示されている。【０００５】
【特許文献１】実開平７−１９１９１号公報
【特許文献２】特開２０００−１３９５９３号公報
【発明の開示】
【発明が解決しようとする課題】
【０００６】
従来、住宅の部屋の内部の仕切を変更する場合、自ら家具やパーティッションを購入して配置するか、専門家に本格的な内装工事を依頼して変更するほか選択肢が存在しなかった。【０００７】
図３（ａ）に示すように間仕切りを設けるために、柱を２本立設するのみでは水平力が加われば当然倒れることとなる。そこで、図３（ｂ）に示すように２本の柱を１本の土台上に柱を立設するとともに、柱どうしを鉛直上側端部に梁を渡す必要がある。ところで、柱と梁は通常、垂直に交叉する。しかし、一般的な消費者にとって、梁と柱の間を正確に垂直に保ち、固定することは必ずしも容易ではなかった。梁と柱の間を正確に垂直に保ち、固定することは必ずしも容易でないにもかかわらず、この部分の垂直性は、間仕切りの完成品の質に多いに関係するものである。この点が、一般的な消費者が住宅の部屋の内部の仕切を変更する場合の大きな障壁となっている。特に間仕切りが複雑であればある程、複数の柱が生じ、その柱に対して最大で４本の梁を設けることができるため、柱数の増加によって消費者による間仕切りの設計と製造の困難性が著しく増大することとなる。【０００８】
そこで、本発明の目的は、柱と梁の直角を確実に形成することのできる建材連結金具と建材連結金具用建材を用いることで、安全で確実に容易に組立てることのできる間仕切りを提供する。さらに、それらを構成する建材連結金具と建材連結金具用建材を提供することにある。
【課題を解決するための手段】
【０００９】
本発明に係る建材連結金具は、所定間隔で相対する一組の第一の平行平板と、
前記第一の平行平板と同一の間隔で相対して前記一組の第一の平行平板に対し井桁形状に直角に交叉する一組の第二の平行平板とから形成されることで枠部と４組の延在部が構成されて、これらの延在部のうち２組以上に建材固定用の開口部が開口する。【００１０】
前記平行平板は、幅と長さが互いにそれぞれ等しく、交叉する各平板同士は垂直に交叉してもよい。【００１１】
前記開口部は、各平板の端部に鉛直方向で縦列に２つ以上開口することを特徴とする。【００１２】
前記開口部は、その開口径と略等しい口径のナットが各開口部に開口部の中心と前記ナットの中心が同一となるように溶着固定されることを特徴とする。また、前記延在部のうち梁と連結させる方向の延在部のみを延在させて、梁と連結しない方向の延在部を設けないことを特徴とする。【００１３】
本発明に係る建材連結金具用建材は、所定間隔で相対する一組の第一の平行平板と、前記第一の平行平板と同一の間隔で相対して前記一組の第一の平行平板に対し井桁形状に直角に交叉する一組の第二の平行平板とから形成されることで枠部と４組の延在部が構成されて、これらの延在部のうち２組以上に建材固定用の開口部が開口する建材連結金具によって梁部と連結するための柱部を含む建材連結金具用建材であって、前記柱部の頭部に前記柱部の一組の対向する側面と平行であって他の一組の側面に対しては垂直である前記第一の平行平板と同一の所定間隔で相対して刻設される一組の第一のスリットと、前記柱部の頭部に設けられて前記第一のスリットと同一の間隔で相対して前記一組の第一のスリットに対し井桁形状に直角に交叉する一組の第二のスリットと、が刻設される。【００１４】
前記スリットの幅が前記平行平板の厚みと同程度であることを特徴とする。【００１５】
前記スリットの深さが前記平行平板の幅よりも深く、その深さが全スリットに渡り一定であることで建材連結金具柱部に対して水平に配置可能であることを特徴とする。【００１６】
前記柱部は、その側面に間仕切を挿入するための挿入溝を長手方向に刻設することを特徴とする。【００１７】
前記柱部は、その底部にホゾ突部が鉛直下向きに突設されることを特徴とする。【００１８】
前記柱部を立設する位置にホゾ穴が開口される土台部を備えることを特徴とする。【００１９】
本発明に係る組立間仕切は、所定間隔で相対する一組の第一の平行平板と、前記第一の平行平板と同一の間隔で相対して前記一組の第一の平行平板に対し井桁形状に直角に交叉する一組の第二の平行平板とから形成されることで枠部と４組の延在部が構成されて、これらの延在部のうち２組以上に建材固定用の開口部が開口する建材連結金具と、前記建材連結金具によって梁部と連結するための柱部を含み、前記柱部の頭部に前記柱部の一組の対向する側面と平行であって他の一組の側面に対しては垂直である前記第一の平行平板と同一の所定間隔で相対して刻設される一組の第一のスリットと、前記柱部の頭部に設けられて前記第一のスリットと同一の間隔で相対して前記一組の第一のスリットに対し井桁形状に直角に交叉する一組の第二のスリットとが刻設される建材連結金具用建材と、底部に敷設される土台部と、建材連結金具の端部に固定される一組の梁部と、前記建材連結金具用建材の側面に刻設される溝部に嵌め込まれる板部とからなり、前記建材連結金具用建材はその底面にホゾ突部を突設して土台部に設けられたホゾ穴に立設されて形成される。
前記梁部は、その幅が前記柱部の幅と異なるとともに前記柱部の両外面側にそれぞれの前記一組の梁部を合い向かい合うように設けてもよい。また、前記一組の梁部と前記隣り合う柱部に囲まれた空間に少なくとも一枚以上の鏡板材を挿入してもよい。
【発明の効果】
【００２０】
本発明に係る建材連結金具と建材連結金具用建材を用いることで、柱と梁の直角を確実に再現でき、安全で確実に容易に間仕切りを組立てることができるという利点がある。
【図面の簡単な説明】
【００２１】
【図１】本発明に係る建材連結金具の構成図である。
【図２】本発明に係る建材連結金具の構成図である。
【図３】従来の間仕切りにおいて（ａ）柱を２本立設した場合の構成図、（ｂ）梁を設けることで安定した場合の構成図である。
【図４】本発明に係る建材連結金具用建材１６の構成図である。
【図５】本発明に係る建材連結金具２と建材連結金具用建材３とを組み合わせた組立図である。
【図６】本発明に係る建材連結金具２と建材連結金具用建材３とを組み合わせた組立図である。
【図７】本発明に係る組立間仕切りの梁部の平面図である。
【図８】本発明に係る組立間仕切りの梁部の平面図における柱部拡大図である。
【図９】本発明に係る組立間仕切りの組立図である。
【図１０】本発明に係る組立間仕切りの組立図である。
【図１１】本発明に係る組立間仕切りの組立図である。
【図１２】本発明に係る組立間仕切りの組立図である。
【図１３】本発明に係る組立間仕切りの組立図である。
【図１４】本発明に係る組立間仕切りの構成図である。
【図１５】本発明に係る組立間仕切りの構成図である。
【図１６】本発明に係る組立間仕切りの構成図である。
【図１７】本発明に係る組立間仕切りの構成図である。
【図１８】本発明に係る組立間仕切りの構成図である。
【図１９】本発明に係る組立間仕切りの構成図である。
【符号の説明】
【００２２】
２  建材連結金具
４、６  第一の平行平板
８、１０  第二の平行平板
１２  開口部
１２ａ、１２ｂ  開口部
１２ｃ、１２ｄ  開口部
１２ｅ、１２ｆ  開口部
１２ｇ、１２ｈ  開口部
１２ｅ、１２ｆ、１２ｉ，１２ｊ  開口部
１２ｇ、１２ｈ、１２ｋ，１２ｌ  開口部
１４  ナット
１４ａ、１４ｂ  ナット
１４ｃ、１４ｄ  ナット
１４ｅ、１４ｆ  ナット
１４ｇ、１４ｈ  ナット
１４ｅ、１４ｆ、１４ｉ、１４ｊ  ナット
１４ｇ、１４ｈ、１４ｋ、１４ｌ  ナット
１６  建材連結金具用建材
１８  柱部
２０  頭部
２２，２４  側面
２６，２８  側面
３０、３２  第一のスリット
３４、３６  第二のスリット
１８ａ  柱部
１８ｂ  柱部
１８ｃ  柱部
１８ｄ  柱部
１８ｅ  柱部
１８ｆ  柱部
１８ｇ  柱部
１８ｈ  柱部
１８ｊ  柱部
１８ｉ  柱部
２ａ、２ｂ、２ｃ、２ｄ、２ｅ、２ｆ、２ｇ、２ｈ、２ｉ、２ｊ  建材連結金具
４０、４２  梁部
４６ａ、４４ａ  梁部
４６ｂ、４４ｂ  梁部
４８ａ、４８ｂ  梁部
５０ａ、５０ｂ  梁部
５２ａ、５２ｂ  梁部
５４ａ、５４ｂ  梁部
５６ａ、５６ｂ  梁部
５８ａ、５８ｂ  梁部
６０ａ、６０ｂ  梁部
６２ａ、６２ｂ  梁部
６４ａ、６４ｂ  梁部
６６ａ、６６ｂ  梁部
６８  土台部
７０  土台部
７１  土台枠
７２  土台部
７４  土台部
７６  土台部
８０  土台部
８２ａ、８２ｃ  ホゾ穴
８２ｂ  ホゾ穴
８２ｄ  ホゾ穴
８２ｇ  ホゾ穴
８２ｈ、８２ｊ  ホゾ穴
８２ｉ  ホゾ穴
８２ｋ  ホゾ穴
８２ｌ  ホゾ穴
【発明を実施するための最良の形態】
【００２３】
以下に、この発明の実施形態例を、図面を用いて説明する。【００２４】
図１、２に本発明に係る建材連結金具を示す。本発明に係る建材連結金具２は、所定間隔で相対する一組の第一の平行平板４、６と、前記第一の平行平板４、６と同一の間隔で相対して前記一組の第一の平行平板４、６に対し井桁形状に直角に交叉する一組の第二の平行平板８、１０とから形成されることで枠部５と４組の延在部（平行平板6に対して６ａ）が構成されて、これらの延在部のうち、２組以上に建材固定用の開口部１２が開口する。【００２５】
図１に示す建材連結金具２は、角部用の金具であり、第一の平行平板４、６と第二の平行平板８、１０の一端が切断されて、井桁形状における枠部５のみが残されて第一の平行平板４、６とを第二の平行平板８、１０は、いずれも交叉点から他端までである延在部が切断され、井桁形状の隣接する二組の延在部が残されることで上部から閲覧するとＬ字形状に構成される。【００２６】
また、開口部１２に対して、第一の平行平板４、６の各対向する側にナット１４が開口部１２に溶着される。図１では、第一の平行平板４に短辺に沿って１列に２つの開口部１２ａ、１２ｂが開口され、第一の平行平板４の第一の平行平板６側に、ナット１４ａ、１４ｂ（図示せず）が溶着されている。同様に第一の平行平板６に短辺に沿って１列に２つの開口部１２ｃ、１２ｄ（図示せず）が開口され、第一の平行平板６の第一の平行平板４側に、ナット１４ｃ（図示あり）、１４ｄ（図示せず）が溶着されている。さらに、第二の平行平板８に短辺に沿って１列に２つの開口部１２ｅ、１２ｆ（図示せず）が開口され、第二の平行平板８の第二の平行平板１０側に、ナット１４ｅ、１４ｆが溶着されている。同様に第二の平行平板１０に短辺に沿って１列に２つの開口部１２ｇ、１２ｈが開口され、第二の平行平板１０の第一の平行平板８側に、ナット１４ｇ、１４ｈ（図示せず）が溶着されている。【００２７】
第一の平行平板４と６との配置間隔と第二の平行平板８と１０との配置間隔は同一の間隔ｌ１で示され、このｌ１の値は柱部となる建材連結金具用建材の幅より短く設定され、スリットと同一の間隔に設定される。【００２８】
第一の平行平板４、６、第二の平行平板８、１０の幅は、接続される梁の幅よりも狭く設定される。また、第一の平行平板４、６、第二の平行平板８、１０は、柱部となる建材連結金具用建材のスリットの深さよりは十分狭い。【００２９】
第一の平行平板４、６、第二の平行平板８、１０の長さは、梁部と重なる部分の長さと、柱部となる建材連結金具用建材に埋設される部分の長さとを加えた値である。第一の平行平板４、６、第二の平行平板８、１０の長さから、第一の平行平板４と６との配置間隔と第二の平行平板８と１０との配置間隔を除いた間隔は前記配置間隔より長めに設定される。【００３０】
図２に示す建材連結金具２は、Ｔ字結合部の金具であり、第一の平行平板４、６の一端のみが切断されて、上部から閲覧すると鳥居形状に構成される。このため、第二の平行平板８、１０両端に開口部があり、それぞれ、第二の平行平板８には、一端、開口部１２ｅ（図示せず）と１２ｆ（図示せず）と他端に１２ｉ（図示せず）と１２ｊ（図示せず）が設けられており、それら開口部の第二の平行平板１０側にはナット１４ｅ、１４ｆ、１４ｉ、１４ｊ（図示せず）が溶接される。一方で、第二の平行平板１０には、一端、開口部１２ｇと１２ｈ（いずれもボルトが挿入されており図示せず）と他端に１２ｋ，１２ｌ（図示せず）が設けられており、それら開口部の第二の平行平板８側にはナット１４ｇ、１４ｈ、１４ｋ、１４ｌ（図示せず）が溶接される。【００３１】
続いて、図４に本発明に係る建材連結金具用建材１６を示す。この建材連結金具用建材１６は、前記柱部１８の頭部２０に前記柱部１８の一組の対向する側面２２，２４と平行であって他の一組の側面２６，２８に対しては垂直に第一のスリット３０、３２が前記柱部の頭部２０から軸方向鉛直下向きに刻設される。第一のスリット３０、３２が第一の平行平板４、６に対応するスリットである。【００３２】
第一のスリット３０と第一のスリット３２の間隔は、前記第一の平行平板４、６と同一の所定間隔ｌ１である。第一のスリット３０、３２の長手方向の長さは、前記柱部１８の幅と同一であり、第一のスリット３０、３２の幅は、前記第一の平行平板４、６の厚みと略同一であり、第一のスリット３０、３２の深さは、第一の平行平板４、６の幅より大きく３倍よりは小さい。第一のスリット３０、３２は、側面２２と側面２４の中心線に対して線対称となるように配置される。また、第一のスリット３０、３２の底面は、前記柱部１８の底面と平行に形成される。このため、建材連結金具２の水平性を容易に保持可能となる。【００３３】
一方、第一のスリット３０、３２と井桁形状に直角に交叉するのは、一組の第二のスリット３４、３６である。第二のスリット３４、３６は、第二の平行平板８、１０に対応するスリットである。第二のスリット３４、３６の長手方向の長さは、前記柱部１８の幅と同一であり、第二のスリット３４、３６の幅は、前記第二の平行平板８、１０の厚みと略同一であり、第二のスリット３４、３６の深さは、第二の平行平板８、１０の幅より大きく３倍よりは小さく、第一の平行平板４、６の深さとも等しい。このため、建材連結金具２の水平性を確実に確保することができる。第二のスリット３４、３６は、側面２６と側面２８の中心線に対して線対称となるように配置される。また、第二のスリット３４、３６の底面は、前記柱部１８の底面と平行に形成される。【００３４】
なお、柱部の四側面には矢羽形状板を挟み込む溝部３７が柱軸方向に刻設される。【００３５】
図５、６に本発明に係る建材連結金具２と建材連結金具用建材３とを組み合わせた組立図を示す。【００３６】
図５では、柱部１８に第一のスリット３０、３２が刻設されており、この第一のスリット３０、３２にそれぞれ、建材連結金具２の第一の平行平板４、６が挿入されている。この第一の平行平板４、６には梁部４０、４２がナット１４ａ、１４ｂ、１４ｃ、１４ｄにボルトで固定される。一方、第二の平行平板１０には、梁部４４が開口部１２ｇ、１２ｈの位置に置いてボルト止め固定される。ここで、柱部１８と建材連結金具２が水平に連結されることで、柱部１８と梁部４４が垂直に連結することができる。また、ナット１４ａ、１４ｂ、１４ｃ、１４ｄはいずれも第一の平行平板４、６の内側に配置されているため、装着する際にボルトのみを外側から容易に装着することができる。また、柱部１８の四側面には矢羽形状板を挟み込む溝部３７が柱軸方向に刻設される。【００３７】
一方、図６では、さらに、梁部４４ａに鳥居形状の建材連結金具２ａが連結されて、この建材連結金具２ａが柱部１８ｂに固定されるとともにさらなる梁部４４ｂに連結されるものである。ここでも、建材連結金具２ａは柱部１８ｂに水平に配置されるため、梁部４４ｂと垂直を保持することができる。【００３８】
さらに、図７に本発明に係る間仕切りにおける梁部と柱部と建材連結金具の構成について説明する。外枠は、柱部１８ａと柱部１８ｃと柱部１８ｈと柱部１８ｊが四隅に設けられ、柱部１８ａと柱部１８ｃとの間に柱部１８ｂが立設され、柱部１８ｃと柱部１８ｈとの間に柱部１８ｄが立設され、柱部１８ｈと柱部１８ｊとの間に柱部１８ｉが立設され、柱部１８ｊと柱部１８ａとの間に柱部１８ｇが立設され、柱部１８ｄと柱部１８ｇとの間に柱部１８ｆが立設され、柱部１８ｄと柱部１８ｆとの間に柱部１８ｅが立設される。【００３９】
この各柱１８ａ、１８ｂ、１８ｃ、１８ｄ、１８ｅ、１８ｇ、１８ｈ、１８ｉ、１８ｊの頭部にはそれぞれ、１つの建材連結金具２ａ、２ｂ、２ｃ、２ｄ、２ｅ、２ｆ、２ｇ、２ｈ、２ｉ、２ｊが装着される。【００４０】
柱１８ａと柱１８ｂとの間には梁部４６ａ、４４ａが架設され、柱１８ｂと柱１８ｃとの間には梁部４６ｂ、４４ｂが架設され、柱１８ｃと柱１８ｄとの間には梁部４８ａ、４８ｂが架設され、柱１８ｄと柱１８ｅとの間には梁部６２ａ、６２ｂが架設され、柱１８ｅと柱１８ｆとの間には梁部６４ａ、６４ｂが架設され、柱１８ｆと柱１８ｇとの間には梁部６６ａ、６６ｂが架設され、柱１８ｄと柱１８ｈとの間には梁部５０ａ、５０ｂが架設され、柱１８ｈと柱１８ｉとの間には梁部５２ａ、５２ｂが架設され、柱１８ｉと柱１８ｊとの間には梁部５４ａ、５４ｂが架設され、柱１８ｊと柱１８ｇとの間には梁部５６ａ、５６ｂが架設され、柱１８ｇと柱１８ａとの間には梁部４０、４２が架設され、柱１８ｂと柱１８ｆとの間には梁部６０ａ、６０ｂが架設され、柱１８ｆと柱１８ｉとの間には梁部５８ａ、５８ｂが架設される。いずれも、各柱に設けられるスリットにより、水平を保つ梁部が形成される。【００４１】
なお、図８に示すように建材連結金具２ａ、２ｃ、２ｈ、２ｊは、隣り合う二組の平行平板のみに平板部が残されて開口部が設けられ、残り二組の平行平板は枠部のみとされ開口部も存在しないＬ字形状に構成される。【００４２】
一方、建材連結金具２ｂ、２ｄ、２ｉ、２ｇは、三組の平行平板の平板部が残されて開口部が設けられ、残り一組の平行平板は枠部のみとされ開口部も存在しない鳥居字形状に構成される。【００４３】
さらに、建材連結金具２ｅ、２ｆは、いずれの平行平板も切断されない完全な井桁形状に構成される。【００４４】
続いて図９〜１３を参照して、本発明に係る建材連結金具２と建材連結金具用建材３とを用いて組立型間仕切り１を組み立てる方法について説明する。【００４５】
まず、本発明に係る間仕切りを配置する部屋に土台枠７１を配列する。図９においては、相対して平行に二辺の土台部７０と７２が配列され、この土台部７０と７２と結合されるように相対して平行に二辺の土台部７４、７６が配列される。さらに、土台部７４と７６との間であって、土台部７６に近接して平行に土台部６８が配列される。土台部７６と土台部６８が連結するように土台部８０が配列される。なお、この土台部７０、７２、７４、７６、７８、８０には、ホゾ穴が設けられている。具体的には、土台部７０には両端にホゾ穴８２ａ、８２ｃが刻設され、中央にホゾ穴８２ｋが刻設され、土台部７０部と土台部７８の連結点にホゾ穴８２ｂが刻設される。一方、土台部７２には、両端にホゾ穴８２ｈ、８２ｊが刻設され、中間にホゾ穴８２ｌが刻設され、土台部７２部と土台部７８の連結点にホゾ穴８２ｉが刻設される。一方、土台部７４はその中間にホゾ穴８２ｄが刻設される。土台部７６はその中間にホゾ穴８２ｇが刻設される。土台部７８はその中間にホゾ穴８２ｆが刻設される。【００４６】
次に図１０に示されるように、各柱部１８ａ、１８ｂ、１８ｋ、１８ｃ、１８ｄ、１８ｈ、１８ｌ、１８ｉ、１８ｊ、１８ｇ、１８ｆの先端のスリットに、対応する建材連結金具２ａ、２ｂ、２ｋ、２ｃ、２ｄ、２ｈ、２ｌ、２ｉ、２ｊ、２ｇ、２ｆを装着する。【００４７】
ここで、建材連結金具用建材において柱部の長さは１９５０ｍｍであり、９０ｍｍ×９０ｍｍの角材を使用する。また、スリット同士の間隔は、５０ｍｍ程度に構成され、スリットの幅は３ｍｍから５ｍｍ程度である。ここで、建材連結金具２が柱部に装着されて緊結されるようにするため、スリットの幅は５ｍｍ以下とすることが好ましい。【００４８】
建材連結金具について、平行平板の長手方向の長さは最長で１７０ｍｍであり、枠部は５０ｍｍ程度であり、開口部を備える井桁部は６０ｍｍ程度である。平行平板の幅は、６０ｍｍ程度である。また、建材連結金具２に設ける開口部は梁部との結合において、回転防止のため、平行平板の幅方向に２つ以上開口させて梁部と２つ以上ボルト止め固定することが好ましい。【００４９】
図１１に示すように、土台枠７１の上に、建材連結金具を連結させた各柱部１８ａ、１８ｂ、１８ｋ、１８ｃ、１８ｄ、１８ｈ、１８ｌ、１８ｉ、１８ｊ、１８ｇ、１８ｆを立設させる。【００５０】
図１２に示すように、続いて、各建材連結金具２ａ、２ｂ、２ｋ、２ｃ、２ｄ、２ｈ、２ｌ、２ｉ、２ｊ、２ｇ、２ｆと、梁部とを連結させる。ここで、前記梁部は、その幅が前記柱部の幅と異なるとともに前記柱部の両外面側にそれぞれの前記一組の梁部を合い向かい合うように設けられる。【００５１】
さらに、図１３に示すように梁部と柱部が連結されると、２枚の梁部の鉛直上部から、複数枚の矢羽形状鏡板材８２を溝部３７に沿って挿入する。間仕切りの壁面を塞ぐ等の目的となる面積を遮蔽できる程度まで、矢羽形状鏡板材８２が挿入されて、完成する。【００５２】
更に、図１４〜図１９において本発明に係る組立間仕切りの例について説明する。【００５３】
図１４は、本発明に係る建材連結金具２と建材連結金具用建材３を用いて一面構成の組立間仕切りの構成図である。自立させる支持部として、柱部を延長させて天井との間に新たな梁部が設けられている。この梁を天井に押圧させて組立間仕切りを固定するものである。さらに、間仕切りの壁面の一部は板部を挿入せずに開放するように構成されている。【００５４】
図１５は、本発明に係る建材連結金具２と建材連結金具用建材３を用いた間仕切りタイプのＴ字型形状の２面型間仕切りである。間仕切り自体で自立するために天井押圧用の梁は必要としないが、連結用の筋かい型梁が設けられている。【００５５】
図１６は、本発明に係る建材連結金具２と建材連結金具用建材３を用いた間仕切りタイプの３面型間仕切りである。中央の間仕切りを挟み込む形状であるため間仕切りの自立性と安定性が高い。【００５６】
図１７は、本発明に係る建材連結金具２と建材連結金具用建材３を用いた間仕切りタイプの収納付き３面型間仕切りである。収納があるため、機能性が向上するとともに、間仕切りの壁面の一部は板部を挿入せずに開放するように構成されており、開放感がある。【００５７】
図１８は、本発明に係る建材連結金具２と建材連結金具用建材３を用いたボックスタイプの４面型間仕切りである。４面型であるため、個室性が演出できるとともに、間仕切りの壁面の一部は板部を挿入せずに開放するように構成されており、開放感がある。【００５８】
図１９は、本発明に係る建材連結金具２と建材連結金具用建材３を用いたボックスタイプの４面型間仕切りである。梁部の配置を壁面側へ移動させたため鉛直上側の開放感が向上する。
【図１】
2009136447.tif 000003
【図２】
2009136447.tif 000004
【図３】
2009136447.tif 000005
【図４】
2009136447.tif 000006
【図５】
2009136447.tif 000007
【図６】
2009136447.tif 000008
【図７】
2009136447.tif 000009
【図８】
2009136447.tif 000010
【図９】
2009136447.tif 000011
【図１０】
2009136447.tif 000012
【図１１】
2009136447.tif 000013
【図１２】
2009136447.tif 000014
【図１３】
2009136447.tif 000015
【図１４】
2009136447.tif 000016
【図１５】
2009136447.tif 000017
【図１６】
2009136447.tif 000018
【図１７】
2009136447.tif 000019
【図１８】
2009136447.tif 000020
【図１９】
2009136447.tif 000021
【国際調査報告】
2009136447.tif 000022
2009136447.tif 000023
2009136447.tif 000024
2009136447.tif 000025